(57)【要約】【課題】建設現場におけるアルバム作成担当者等のアルバム作成に関わる負担をなくし、工事写真アルバムの作成に要する時間及びアルバムの作成コストを低減する。【解決手段】ディジタルカメラ５００を用いて、建設現場で施工されるコンクリート工事や計測工事などの各種工事の工事箇所を、その説明用黒板６００と共に写真撮影し、この撮影された説明用黒板６００を含む工事写真データを作業所端末２００からセンターサーバ３００に伝送し、サーバ３００またはサーバ３００が依頼した入力依頼端末４００で工事写真の分類整理及びこの工事写真に対する写真説明用情報の入力作業を、表示部に拡大表示された説明用黒板６００の記載内容を見ながら実行する構成にした。【選択図】　　　図２
2004094605.tif 000002
【特許請求の範囲】
【請求項１】
ディジタルカメラにより撮影された建設現場の工事写真を基にして工事写真アルバムを作成する方法であって、
前記ディジタルカメラにより建設現場における工事箇所と該工事箇所の説明用黒板を工事箇所の撮影領域内に含ませて撮影した工事写真データを建設現場の作業所端末に取り込む工事写真データ取り込みステップと、
前記取り込まれた工事写真データをセンターサーバに通信網を介して伝送する工事写真データ伝送ステップと、
前記センターサーバに取り込まれた工事写真データを撮影駒ごとに読み出して該センターサーバの表示部に表示することによりアルバム作成に必要な工事写真を選択する工事写真選択ステップと、
前記工事写真選択ステップで選択された工事写真中の黒板箇所をクリックすることにより黒板画像を前記表示部に拡大表示するとともに前記選択された工事写真の写真説明情報記入欄を前記表示部に表示するデータ入力表示ステップと、
前記表示部に拡大表示された前記黒板画像を見ながら該黒板に記載されている写真説明情報を入力部の操作により前記写真説明情報記入欄に記入してアルバム用工事写真データを作成するアルバム作成ステップと、
前記アルバム作成ステップで作成されたアルバム用工事写真データを前記センターサーバの記憶部に保存するアルバム用工事写真データ保存ステップと、
前記作業所端末から前記センターサーバにアクセスして前記記憶部に保存されているアルバム用工事写真データを該作業所端末に取り込んでアルバム用工事写真の内容をチェックし、そのチェック結果を前記センターサーバに通知しもしくは前記アルバム用工事写真データを適宜修正して前記センターサーバに転送し保存するアルバム用工事写真チェック／修正ステップと、
前記チェック結果から前記アルバム用工事写真データに修正を要する場合はその工事写真を要求に応じて修正または他の工事写真に入れ替える工事写真修正ステップと、
を備えることを特徴とする工事写真アルバム作成方法。
【請求項２】
前記センターサーバから任意の入力依頼端末に対してアルバム用工事写真への写真説明情報の入力依頼を発注する発注ステップと、前記発注ステップによる入力依頼を受けた前記入力依頼端末から前記センターサーバに対して前記作業所端末から取り込まれた工事写真データの転送を要求する転送要求ステップと、前記転送要求に対して前記センターサーバから前記工事写真データを前記入力依頼端末に伝送する第１データ伝送ステップと、前記入力依頼端末に取り込まれた工事写真データを撮影駒ごとに読み出して該入力依頼端末の表示部に表示することによりアルバム作成に必要な工事写真を選択する工事写真選択ステップと、前記工事写真選択ステップで選択された工事写真中の黒板箇所をクリックすることにより黒板画像を前記表示部に拡大表示するとともに前記選択された工事写真の写真説明情報記入欄を前記表示部に表示するデータ入力表示ステップと、前記表示部に拡大表示された前記黒板画像を見ながら該黒板に記載されている写真説明情報を前記入力依頼端末の入力部の操作により前記写真説明情報記入欄に記入してアルバム用工事写真データを作成するアルバム作成ステップと、前記アルバム作成ステップで作成されたアルバム用工事写真データを前記センターサーバへ伝送する第２データ伝送ステップとを備えることを特徴とする請求項１記載の工事写真アルバム作成方法。
【請求項３】
前記作業所端末において前記作成されたアルバム用工事写真データを施主または設計事務所等に対し通信網を介して公開されるように構成されていることを特徴とする請求項１または２記載の工事写真アルバム作成方法。
【請求項４】
ディジタルカメラにより撮影された建設現場の工事写真を基にして工事写真アルバムを作成するシステムであって、
通信網により接続された複数の作業所端末と、センターサーバとを備え、
前記作業所端末は、
前記ディジタルカメラにより建設現場における工事箇所と該工事箇所の説明用黒板を工事箇所の撮影領域内に含ませて撮影した工事写真データを建設現場の作業所端末に取り込む工事写真データ取り込み手段と、
前記取り込まれた工事写真データを前記センターサーバに通信網を介して伝送する工事写真データ伝送手段とを備え、
前記センターサーバは、
該センターサーバに取り込まれた工事写真データを撮影駒ごとに読み出して該センターサーバの表示部に表示することによりアルバム作成に必要な工事写真を選択する工事写真選択手段と、
前記工事写真選択手段で選択された工事写真中の黒板箇所をクリックすることにより黒板画像を前記表示部に拡大表示するとともに前記選択された工事写真の写真説明情報記入欄を前記表示部に表示するデータ入力表示手段と、
前記表示部に拡大表示された前記黒板画像を見ながら該黒板に記載されている写真説明情報を入力部の操作により前記写真説明情報記入欄に記入してアルバム用工事写真データを作成するアルバム作成手段と、
前記アルバム作成手段で作成されたアルバム用工事写真データを前記センターサーバの記憶部に保存するアルバム用工事写真データ保存手段と、
前記作業所端末から前記センターサーバにアクセスして前記記憶部に保存されているアルバム用工事写真データを該作業所端末に取り込んでアルバム用工事写真の内容をチェックし、そのチェック結果を前記センターサーバに通知しもしくは前記アルバム用工事写真データを適宜修正して前記センターサーバに転送し保存するアルバム用工事写真チェック／修正手段と、
前記チェック結果から前記アルバム用工事写真データに修正を要する場合はその工事写真を要求に応じて修正または他の工事写真に入れ替える工事写真修正手段とを備える、
ことを特徴とする工事写真アルバム作成システム。
【請求項５】
前記通信網に接続された複数の入力依頼端末を備え、
前記センターサーバは、該センターサーバから前記任意の入力依頼端末に対してアルバム用工事写真への写真説明情報の入力依頼を発注する発注手段と、データ転送要求に対してセンターサーバから前記工事写真データを前記入力依頼端末に伝送する第１データ伝送手段とを有し、
前記入力依頼端末は、前記発注手段による入力依頼を受けた前記入力依頼端末から前記センターサーバに対して前記作業所端末から取り込まれた工事写真データの転送を要求する転送要求手段と、前記入力依頼端末に取り込まれた工事写真データを撮影駒ごとに読み出して該入力依頼端末の表示部に表示することによりアルバム作成に必要な工事写真を選択する工事写真選択手段と、前記工事写真選択手段で選択された工事写真中の黒板箇所をクリックすることにより黒板画像を前記表示部に拡大表示するとともに前記選択された工事写真の写真説明情報記入欄を前記表示部に表示するデータ入力表示手段と、前記表示部に拡大表示された前記黒板画像を見ながら該黒板に記載されている写真説明情報を前記入力依頼端末の入力部の操作により前記写真説明情報記入欄に記入してアルバム用工事写真データを作成するアルバム作成手段と、前記アルバム作成手段で作成されたアルバム用工事写真データを前記センターサーバへ伝送する第２データ伝送手段とを備えることを特徴とする請求項４記載の工事写真アルバム作成システム。
【請求項６】
前記作業所端末において前記作成されたアルバム用工事写真データを施主または設計事務所等に対し通信網を介して公開されるように構成されていることを特徴とする請求項４または５記載の工事写真アルバム作成システム。
【請求項７】
前記作業所端末において前記作成されたアルバム用工事写真データを記録媒体に記録し、もしくは印刷物に印刷して施主または設計事務所等に対し提供するように構成されていることを特徴とする請求項４または５記載の工事写真アルバム作成システム。
【請求項８】
ディジタルカメラにより撮影された建設現場の工事写真を基にして工事写真アルバムを作成する工事写真アルバム作成用プログラムであって、
前記ディジタルカメラにより建設現場における工事箇所と該工事箇所の説明用黒板を工事箇所の撮影領域内に含ませて撮影した工事写真データを建設現場の作業所端末に取り込む工事写真データ取り込み処理と、
前記取り込まれた工事写真データをセンターサーバに通信網を介して伝送する工事写真データ伝送処理と、
前記センターサーバに取り込まれた工事写真データを撮影駒ごとに読み出して該センターサーバの表示部に表示することによりアルバム作成に必要な工事写真を選択する工事写真選択処理と、
前記工事写真選択処理で選択された工事写真中の黒板箇所をクリックすることにより黒板画像を前記表示部に拡大表示するとともに前記選択された工事写真の写真説明情報記入欄を前記表示部に表示するデータ入力表示処理と、
前記表示部に拡大表示された前記黒板画像を見ながら該黒板に記載されている写真説明情報を入力部の操作により前記写真説明情報記入欄に記入してアルバム用工事写真データを作成するアルバム作成処理と、
前記アルバム作成処理で作成されたアルバム用工事写真データを前記センターサーバの記憶部に保存するアルバム用工事写真データ保存処理と、
前記作業所端末から前記センターサーバにアクセスして前記記憶部に保存されているアルバム用工事写真データを該作業所端末に取り込んでアルバム用工事写真の内容をチェックし、そのチェック結果を前記センターサーバに通知しもしくは前記アルバム用工事写真データを適宜修正して前記センターサーバに転送し保存するアルバム用工事写真チェック／修正処理と、
前記チェック結果から前記アルバム用工事写真データに修正を要する場合はその工事写真を要求に応じて修正または他の工事写真に入れ替える工事写真修正処理と、
をコンピュータに実行させるための工事写真アルバム作成用プログラム。
【請求項９】
前記センターサーバから任意の入力依頼端末に対してアルバム用工事写真への写真説明情報の入力依頼を発注する発注処理と、前記発注処理による入力依頼を受けた前記入力依頼端末から前記センターサーバに対して前記作業所端末から取り込まれた工事写真データの転送を要求する転送要求処理と、前記転送要求に対して前記センターサーバから前記工事写真データを前記入力依頼端末に伝送する第１データ伝送ス処理と、前記入力依頼端末に取り込まれた工事写真データを撮影駒ごとに読み出して該入力依頼端末の表示部に表示することによりアルバム作成に必要な工事写真を選択する工事写真選択処理と、前記工事写真選択処理で選択された工事写真中の黒板箇所をクリックすることにより黒板画像を前記表示部に拡大表示するとともに前記選択された工事写真の写真説明情報記入欄を前記表示部に表示するデータ入力表示処理と、前記表示部に拡大表示された前記黒板画像を見ながら該黒板に記載されている写真説明情報を前記入力依頼端末の入力部の操作により前記写真説明情報記入欄に記入してアルバム用工事写真データを作成するアルバム作成処理と、前記アルバム作成処理で作成されたアルバム用工事写真データを前記センターサーバへ伝送する第２データ伝送処理とを備えることを特徴とする請求項８記載の工事写真アルバム作成用プログラム。
【請求項１０】
前記作業所端末において前記作成されたアルバム用工事写真データを施主または設計事務所等に対し通信網を介して公開されるように構成されていることを特徴とする請求項８または９記載の工事写真アルバム作成用プログラム。
【発明の詳細な説明】
【０００１】
【発明の属する技術分野】
本発明は、建設現場で撮影された工事着手前、工事途中、工事完成時における工事写真を基にして工事写真アルバムを作成する場合の工事写真アルバム作成方法及びシステム並びに工事写真アルバム作成用プログラムに関するものである。
【０００２】
【従来の技術】
従来、工事写真アルバムを作成するに際しては、建設現場において、アルバム作成担当者等がコンクリート工事や鉄筋工事、鉄骨工事または計測工事などの各種工事の着手前や工事途中または工事完成後などの工事写真をディジタルカメラにより撮影し、この撮影した各工種の工事写真を画像データとして、工事写真アルバム作成用のアプリケーションで動作されるパソコンに取り込み、その内部記憶装置に格納する。しかる後、担当者等はパソコンを操作することにより、内部記憶装置から画像データを撮影駒ごとに読み出して表示部に順次表示するとともに工事写真を分類整理し、この分類整理された工事写真の中からアルバム作成に必要な工事写真を随時選択する。そして、選択された工事写真ごとに、この工事写真と共に表示部に表示された書き込み表示欄に工事の種別、撮影場所、撮影年月日、写真タイトルなどの写真説明情報を、工事写真ごとに設けられたメモを基にして、キーボード等の入力部を操作することにより書き込む。このように写真説明情報の書き込まれた工事写真は、アルバム用の工事写真データとしてパソコンの内部記憶装置に格納され保存される。
【０００３】
また、パソコンの内部記憶装置に格納されたアルバム用の工事写真データを利用して工事写真アルバムを作成する場合は、建築主等の要望に応じ、上記工事写真データをカラープリンタに出力して印刷し、冊子タイプのアルバムを作成したり、またはＣＤ−ＲＯＭ等の記録媒体に複写して建築主等に提供するようにしている。
【０００４】
【発明が解決しようとする課題】
しかし、上記のような従来の工事写真アルバム作成方式では、アルバム作成担当者等がディジタルカメラで撮影した工事写真の画像データを、工事写真アルバム作成用のアプリケーションで動作されるパソコンに取り込むとともに、各工事写真を撮影駒ごとに表示部に表示して分類整理し、この分類整理された工事写真１枚１枚に対して写真説明情報をいちいち入力する必要がある。このため、アルバム作成担当者等のアルバム作成作業が繁雑になるとともにアルバム作成担当者等にかかる負担も増大し、工事写真アルバムの作成に多くの時間を要するほか、アルバムの作成コストも上昇するという問題がある。
また、建設現場のパソコンを工事写真のアルバム作成可能に立ち上げるには、専用の工事写真アルバム作成用プログラムをインストールする必要があるほか、アルバム作成担当者等がアルバム作成の操作手順などを学習する必要があり、これに伴い、建設現場での工事写真アルバムの作成作業を更に複雑かつ煩雑にしてしまうという問題あった。
【０００５】
本発明は、上述のような従来の問題を解決するためになされたもので、建設現場で撮影された工事写真を整理し、アルバムとして作成するサービスをインターネット上のサイトを利用して行うことにより、建設現場におけるアルバム作成担当者等のアルバム作成に関わる負担をなくし、工事写真アルバムの作成に要する時間及びアルバムの作成コストを低減できるようにした工事写真アルバム作成方法及びシステム並びに工事写真アルバム作成用プログラムを提供することを目的とする。
【０００６】
【課題を解決するための手段】
上記目的を達成するために本発明は、ディジタルカメラにより撮影された建設現場の工事写真を基にして工事写真アルバムを作成する方法であって、前記ディジタルカメラにより建設現場における工事箇所と該工事箇所の説明用黒板を工事箇所の撮影領域内に含ませて撮影した工事写真データを建設現場の作業所端末に取り込む工事写真データ取り込みステップと、前記取り込まれた工事写真データをセンターサーバに通信網を介して伝送する工事写真データ伝送ステップと、前記センターサーバに取り込まれた工事写真データを撮影駒ごとに読み出して該センターサーバの表示部に表示することによりアルバム作成に必要な工事写真を選択する工事写真選択ステップと、前記工事写真選択ステップで選択された工事写真中の黒板箇所をクリックすることにより黒板画像を前記表示部に拡大表示するとともに前記選択された工事写真の写真説明情報記入欄を前記表示部に表示するデータ入力表示ステップと、前記表示部に拡大表示された前記黒板画像を見ながら該黒板に記載されている写真説明情報を入力部の操作により前記写真説明情報記入欄に記入してアルバム用工事写真データを作成するアルバム作成ステップと、前記アルバム作成ステップで作成されたアルバム用工事写真データを前記センターサーバの記憶部に保存するアルバム用工事写真データ保存ステップと、前記作業所端末から前記センターサーバにアクセスして前記記憶部に保存されているアルバム用工事写真データを該作業所端末に取り込んでアルバム用工事写真の内容をチェックし、そのチェック結果を前記センターサーバに通知しもしくは前記アルバム用工事写真データを適宜修正して前記センターサーバに転送し保存するアルバム用工事写真チェック／修正ステップと、前記チェック結果から前記アルバム用工事写真データに修正を要する場合はその工事写真を要求に応じて修正または他の工事写真に入れ替える工事写真修正ステップとを備えることを特徴とする。
【０００７】
また、本発明は、ディジタルカメラにより撮影された建設現場の工事写真を基にして工事写真アルバムを作成するシステムであって、通信網により接続された複数の作業所端末と、センターサーバとを備え、前記作業所端末は、前記ディジタルカメラにより建設現場における工事箇所と該工事箇所の説明用黒板を工事箇所の撮影領域内に含ませて撮影した工事写真データを建設現場の作業所端末に取り込む工事写真データ取り込み手段と、前記取り込まれた工事写真データを前記センターサーバに通信網を介して伝送する工事写真データ伝送手段とを備え、　前記センターサーバは、該センターサーバに取り込まれた工事写真データを撮影駒ごとに読み出して該センターサーバの表示部に表示することによりアルバム作成に必要な工事写真を選択する工事写真選択手段と、前記工事写真選択手段で選択された工事写真中の黒板箇所をクリックすることにより黒板画像を前記表示部に拡大表示するとともに前記選択された工事写真の写真説明情報記入欄を前記表示部に表示するデータ入力表示手段と、前記表示部に拡大表示された前記黒板画像を見ながら該黒板に記載されている写真説明情報を入力部の操作により前記写真説明情報記入欄に記入してアルバム用工事写真データを作成するアルバム作成手段と、前記アルバム作成手段で作成されたアルバム用工事写真データを前記センターサーバの記憶部に保存するアルバム用工事写真データ保存手段と、前記作業所端末から前記センターサーバにアクセスして前記記憶部に保存されているアルバム用工事写真データを該作業所端末に取り込んでアルバム用工事写真の内容をチェックし、そのチェック結果を前記センターサーバに通知しもしくは前記アルバム用工事写真データを適宜修正して前記センターサーバに転送し保存するアルバム用工事写真チェック／修正手段と、前記チェック結果から前記アルバム用工事写真データに修正を要する場合はその工事写真を要求に応じて修正または他の工事写真に入れ替える工事写真修正手段とを備えることを特徴とする。
【０００８】
また、本発明は、ディジタルカメラにより撮影された建設現場の工事写真を基にして工事写真アルバムを作成する工事写真アルバム作成用プログラムであって、　前記ディジタルカメラにより建設現場における工事箇所と該工事箇所の説明用黒板を工事箇所の撮影領域内に含ませて撮影した工事写真データを建設現場の作業所端末に取り込む工事写真データ取り込み処理と、前記取り込まれた工事写真データをセンターサーバに通信網を介して伝送する工事写真データ伝送処理と、前記センターサーバに取り込まれた工事写真データを撮影駒ごとに読み出して該センターサーバの表示部に表示することによりアルバム作成に必要な工事写真を選択する工事写真選択処理と、前記工事写真選択処理で選択された工事写真中の黒板箇所をクリックすることにより黒板画像を前記表示部に拡大表示するとともに前記選択された工事写真の写真説明情報記入欄を前記表示部に表示するデータ入力表示処理と、前記表示部に拡大表示された前記黒板画像を見ながら該黒板に記載されている写真説明情報を入力部の操作により前記写真説明情報記入欄に記入してアルバム用工事写真データを作成するアルバム作成処理と、前記アルバム作成処理で作成されたアルバム用工事写真データを前記センターサーバの記憶部に保存するアルバム用工事写真データ保存処理と、前記作業所端末から前記センターサーバにアクセスして前記記憶部に保存されているアルバム用工事写真データを該作業所端末に取り込んでアルバム用工事写真の内容をチェックし、そのチェック結果を前記センターサーバに通知しもしくは前記アルバム用工事写真データを適宜修正して前記センターサーバに転送し保存するアルバム用工事写真チェック／修正処理と、前記チェック結果から前記アルバム用工事写真データに修正を要する場合はその工事写真を要求に応じて修正または他の工事写真に入れ替える工事写真修正処理とをコンピュータに実行させることを特徴とする。
【０００９】
本発明の工事写真アルバム作成方法においては、工事写真データ取り込みステップにおいて、ディジタルカメラにより建設現場における工事箇所とこの工事箇所の説明用黒板を工事箇所の撮影領域内に含ませて撮影した工事写真データを建設現場の作業所端末に取り込む。工事写真データ伝送ステップにおいて、取り込まれた工事写真データをセンターサーバに通信網を介して伝送する。
また、工事写真選択ステップで、センターサーバに取り込まれた工事写真データを撮影駒ごとに読み出してセンターサーバの表示部に表示することによりアルバム作成に必要な工事写真を選択する。データ入力表示ステップにおいて、工事写真選択ステップで選択された工事写真中の黒板箇所をクリックすることにより黒板画像を表示部に拡大表示するとともに、選択された工事写真の写真説明情報記入欄を表示部に表示する。アルバム作成ステップにおいて、表示部に拡大表示された黒板画像を見ながら該黒板に記載されている写真説明情報を入力部の操作により写真説明情報記入欄に記入してアルバム用工事写真データを作成する。そして、アルバム用工事写真データ保存ステップでは、アルバム作成ステップで作成されたアルバム用工事写真データをセンターサーバの記憶部に保存する。
また、アルバム用工事写真チェック／修正ステップにおいて、作業所端末からセンターサーバにアクセスして記憶部に保存されているアルバム用工事写真データを作業所端末に取り込んでアルバム用工事写真の内容をチェックし、そのチェック結果をセンターサーバに通知しもしくはアルバム用工事写真データを適宜修正してセンターサーバに転送し保存する。工事写真修正ステップでは、チェック結果からアルバム用工事写真データに修正を要する場合はその工事写真を要求に応じて修正または他の工事写真に入れ替える。
よって、本発明の工事写真アルバム作成方法によれば、建設現場におけるアルバム作成担当者等のアルバム作成に関わる負担をなくし、工事写真アルバムの作成に要する時間及びアルバムの作成コストを低減できる。
【００１０】
本発明の工事写真アルバム作成システムにおいては、作業所端末の工事写真データ取り込み手段がディジタルカメラにより建設現場における工事箇所と該工事箇所の説明用黒板を工事箇所の撮影領域内に含ませて撮影した工事写真データを建設現場の作業所端末に取り込む。そして、工事写真データ伝送手段は、取り込まれた工事写真データをセンターサーバに通信網を介して伝送する。
また、センターサーバの工事写真選択手段は、センターサーバに取り込まれた工事写真データを撮影駒ごとに読み出してセンターサーバの表示部に表示することによりアルバム作成に必要な工事写真を選択する。データ入力表示手段は、工事写真選択手段で選択された工事写真中の黒板箇所をクリックすることにより黒板画像を表示部に拡大表示するとともに選択された工事写真の写真説明情報記入欄を表示部に表示する。そして、アルバム作成手段は、表示部に拡大表示された黒板画像を見ながら黒板に記載されている写真説明情報を入力部の操作により写真説明情報記入欄に記入してアルバム用工事写真データを作成する。アルバム用工事写真データ保存手段は、アルバム作成手段で作成されたアルバム用工事写真データをセンターサーバの記憶部に保存する。
また、アルバム用工事写真チェック／修正手段は、作業所端末からセンターサーバにアクセスして記憶部に保存されているアルバム用工事写真データを作業所端末に取り込んでアルバム用工事写真の内容をチェックし、そのチェック結果をセンターサーバに通知しもしくはアルバム用工事写真データを適宜修正してセンターサーバに転送し保存する。工事写真修正手段は、チェック結果からアルバム用工事写真データに修正を要する場合はその工事写真を要求に応じて修正または他の工事写真に入れ替える。
よって、本発明の工事写真アルバム作成システムによれば、建設現場におけるアルバム作成担当者等のアルバム作成に関わる負担をなくし、工事写真アルバムの作成に要する時間及びアルバムの作成コストを低減できる。
【００１１】
本発明の工事写真アルバム作成用プログラムにおいては、工事写真データ取り込み処理において、ディジタルカメラにより建設現場における工事箇所と該工事箇所の説明用黒板を工事箇所の撮影領域内に含ませて撮影した工事写真データを建設現場の作業所端末に取り込む。工事写真データ伝送処理では、取り込まれた工事写真データを前記センターサーバに通信網を介して伝送する。
また、工事写真選択処理では、センターサーバに取り込まれた工事写真データを撮影駒ごとに読み出してセンターサーバの表示部に表示することによりアルバム作成に必要な工事写真を選択する。そして、データ入力表示処理では、工事写真選択処理で選択された工事写真中の黒板箇所をクリックすることにより黒板画像を表示部に拡大表示するとともに選択された工事写真の写真説明情報記入欄を表示部に表示する。
また、アルバム作成処理では、表示部に拡大表示された黒板画像を見ながら黒板に記載されている写真説明情報を入力部の操作により写真説明情報記入欄に記入してアルバム用工事写真データを作成する。アルバム用工事写真データ保存処理では、アルバム作成処理で作成されたアルバム用工事写真データをセンターサーバの記憶部に保存する。アルバム用工事写真チェック／修正処理では、作業所端末からセンターサーバにアクセスして記憶部に保存されているアルバム用工事写真データを作業所端末に取り込んでアルバム用工事写真の内容をチェックし、そのチェック結果をセンターサーバに通知しもしくはアルバム用工事写真データを適宜修正して前記センターサーバに転送し保存する。また、工事写真修正処理では、チェック結果からアルバム用工事写真データに修正を要する場合はその工事写真を要求に応じて修正または他の工事写真に入れ替える。
よって、本発明の工事写真アルバム作成用プログラムによれば、建設現場におけるアルバム作成担当者等のアルバム作成に関わる負担をなくし、工事写真アルバムの作成に要する時間及びアルバムの作成コストを低減できる。
【００１２】
【発明の実施の形態】
次に、本発明の実施の形態について図面を参照しながら説明する。
図１は本発明の実施の形態における工事写真アルバム作成システムを構成する機能ブロック図、図２は本発明にかかる工事写真アルバム作成システムの全体の構成を示すブロック図、図３〜図５は本発明の工事写真アルバム作成システムの処理手順を示すフローチャート、図６及び図７は本実施の形態における説明図である。
以下では、これらの図面を参照しながら本発明の工事写真アルバム作成システムの一例について説明し、同時に本発明の工事写真アルバム作成方法並びに工事写真アルバム作成用プログラムの実施例についても説明する。
【００１３】
本実施の形態における工事写真アルバム作成システムは、建設現場のアルバム作成担当者等はディジタルカメラを用いて工事の写真を撮影し、この撮影された工事写真データを作業所端末から管理統括用センターのサーバに伝送し、サーバ側及びサーバが依頼した入力依頼端末で工事写真の分類整理及びこの工事写真に対する写真説明用の情報入力作業を、表示部に拡大表示された説明用黒板の記載内容を見ながら実行して、建設現場におけるアルバム作成担当者等のアルバム作成に関わる負担をなくし、工事写真アルバムの作成に要する時間及びアルバムの作成コストを低減できるようにするものであり、具体的には図２に示すように、インターネットやイントラネット等の通信網１００により互いに接続された複数の作業所端末２００と、センターサーバ３００と、複数の入力依頼端末４００とを備え、これら作業所端末２００、センターサーバ３００及び入力依頼端末４００はコンピュータから構成されている。また、５００は建設現場の各種工事箇所を撮影するディジタルカメラであり、このディジタルカメラ５００の工事写真データは作業所端末２００に取り込まれる構成になっている。
【００１４】
前記作業所端末２００を構成するコンピュータは、図２に示すように、全体を制御し管理するＣＰＵ２０１と、このＣＰＵ２０１に接続されたメインメモリ２０２と、ＣＰＵ２０１に接続されたＣＲＴ等の表示部２０３と、ＣＰＵ２０１に接続されたキーボード及びマウス等からなる入力部２０４と、ＣＰＵ２０１に接続されたハードディスク装置２０５と、ＣＰＵ２０１に接続されたプリンタ２０６と、ＣＰＵ２０１に接続され通信網１００との間の通信を可能にする通信インタフェース２０７等を備える。
また、後で詳しく説明する図１に示した作業所端末２００の機能は、コンピュータのメインメモリ２０２にハードディスク装置２０５から所定のプログラムデータをロードし、このプログラムでＣＰＵ２０１を動作させることにより実現される。
【００１５】
また、前記センターサーバ３００を構成するコンピュータは、図２に示すように、全体を制御し管理するＣＰＵ３０１と、このＣＰＵ３０１に接続されたメインメモリ３０２と、ＣＰＵ３０１に接続されたＣＲＴ等の表示部３０３と、ＣＰＵ３０１に接続されたキーボード及びマウス等からなる入力部３０４と、ＣＰＵ３０１に接続されたハードディスク装置３０５と、ＣＰＵ３０１に接続され通信網１００との間の通信を可能にする通信インタフェース３０６等を備える。
また、後で詳しく説明する図１に示したセンターサーバ３００の機能は、コンピュータのメインメモリ３０２にハードディスク装置３０５から所定のプログラムデータをロードし、このプログラムでＣＰＵ３０１を動作させることにより実現される。
【００１６】
また、前記入力依頼端末４００を構成するコンピュータは、図２に示すように、全体を制御し管理するＣＰＵ４０１と、このＣＰＵ４０１に接続されたメインメモリ４０２と、ＣＰＵ４０１に接続されたＣＲＴ等の表示部４０３と、ＣＰＵ４０１に接続されたキーボード及びマウス等からなる入力部４０４と、ＣＰＵ４０１に接続されたハードディスク装置４０５と、ＣＰＵ４０１に接続され通信網１００との間の通信を可能にする通信インタフェース４０６等を備える。
また、後で詳しく説明する図１に示した入力依頼端末４００の機能は、コンピュータのメインメモリ４０２にハードディスク装置４０５から所定のプログラムデータをロードし、このプログラムでＣＰＵ４０１を動作させることにより実現される。
【００１７】
次に、図１に示す工事写真アルバム作成システムの詳細な構成について説明すると、本実施に形態における工事写真アルバム作成システムの作業所端末２００は、工事写真データ取り込み手段２１１、工事写真データ伝送手段２１２及びアルバム用工事写真チェック／修正手段２１３を含む構成になっており、これら各構成要素は通信インタフェース２０７を介して通信網１００に接続されている。
【００１８】
前記工事写真データ取り込み手段２１１は、ディジタルカメラ５００により建設現場において施工される工事箇所と、この工事箇所の説明用黒板６００（図６参照）を工事箇所の撮影領域内に含ませて撮影した工事写真データをメインメモリ２０２に取り込むものである。
前記工事写真データ伝送手段２１２は、メインメモリ２０２に取り込まれた工事写真データをセンターサーバ３００に通信網１００を介して伝送するものである。
また、前記アルバム用工事写真チェック／修正手段２１３は、作業所端末２００からセンターサーバ３００にアクセスして、センターサーバ３００のメインメモリ３０２に保存されているアルバム用工事写真データを作業所端末２００に取り込んでアルバム用工事写真の内容をチェックし、そのチェック結果をセンターサーバ３００に通知しもしくは取り込んだアルバム用工事写真データを適宜修正してセンターサーバ３００に転送し保存させるものである。
【００１９】
また、本実施に形態における工事写真アルバム作成システムのセンターサーバ３００は、工事写真選択手段３１１、データ入力表示手段３１２、アルバム作成手段３１３、アルバム用工事写真データ保存手段３１４、工事写真修正手段３１５、発注手段３１６及びデータ伝送手段（請求項の第１データ伝送手段に相当する）３１７を含む構成になっており、これら各構成要素は通信インタフェース３０６を介して通信網１００に接続されている。
【００２０】
前記工事写真選択手段３１１は、センターサーバ３００のメインメモリ３０２に取り込まれた工事写真データを撮影駒ごとに読み出して、センターサーバ３００の表示部３０３に表示し、この表示された工事写真の中からアルバム作成に必要な工事写真を入力部３０４の操作で選択するものである。
前記データ入力表示手段３１２は、工事写真選択手段３１１で選択された工事写真中の黒板箇所を入力部３０４の操作でクリックすることにより黒板画像を表示部３０３に拡大表示し、かつ選択された工事写真の写真説明情報記入欄（図７参照）を表示部３０３に表示処理するものである。
前記アルバム作成手段３１３は、表示部３０３に拡大表示された黒板画像（図６参照）を見ながら、この黒板に記載されている写真説明情報を入力部３０４の操作により、図７（Ｂ）に示す写真説明情報記入欄に記入してアルバム用工事写真データを作成するものである。
【００２１】
また、前記アルバム用工事写真データ保存手段３１４は、アルバム作成手段３１３で作成されたアルバム用工事写真データをセンターサーバ３００のメインメモリ３０２に保存させるためのものである。
前記工事写真修正手段３１５は、アルバム用工事写真チェック／修正手段２１３でのチェック結果からアルバム用工事写真データに修正を要する場合はその工事写真を要求に応じて修正または他の工事写真に入れ替える処理を入力部３０４の操作に伴って行うものである。
前記発注手段３１６は、入力部３０４の操作に伴って、センターサーバ３００から任意の入力依頼端末４００に対してアルバム用工事写真への写真説明情報の入力依頼を発注するものであり、また、データ伝送手段３１７は、入力依頼端末４００からセンターサーバ３００へのデータ転送要求に対して、センターサーバ３００から工事写真データを入力依頼端末４００に伝送するためのものである。
【００２２】
また、本実施に形態における工事写真アルバム作成システムの入力依頼端末４００は、転送要求手段４１１、工事写真選択手段４１２、データ入力表示手段４１３、アルバム作成手段４１４及びデータ伝送手段（請求項の第２データ伝送手段に相当）４１５を含む構成になっており、これら各構成要素は通信インタフェース４０６を介して通信網１００に接続されている。
【００２３】
前記転送要求手段４１１は、発注手段３１６による入力依頼を受けた入力依頼端末４００からセンターサーバ３００に対して作業所端末２００から取り込まれた工事写真データの転送を要求するものである。
前記工事写真選択手段４１２は、入力依頼端末４００のメインメモリ４０２に取り込まれた工事写真データを撮影駒ごとに読み出して、入力依頼端末４００の表示部４０３に表示し、この表示された工事写真の中からアルバム作成に必要な工事写真を入力部４０４の操作で選択するものである。
また、前記データ入力表示手段４１３は、工事写真選択手段４１２で選択された工事写真中の黒板箇所を入力部４０４の操作でクリックすることにより黒板画像を表示部４０３に拡大表示し、かつ選択された工事写真の写真説明情報記入欄（図７参照）を表示部４０３に表示処理するものである。
【００２４】
前記アルバム作成手段４１４は、表示部４０３に拡大表示された黒板画像（図６参照）を見ながら、この黒板に記載されている写真説明情報を入力部４０４の操作により、図７（Ｂ）に示す写真説明情報記入欄に記入してアルバム用工事写真データを作成するものである。
また、データ伝送手段４１５は、アルバム作成手段４１４で作成されたアルバム用工事写真データをセンターサーバ３００へ伝送するためのものである。
【００２５】
次に、上記のように構成された本実施の形態の動作について、図３〜図５を参照しながら説明する。
工事写真アルバムを作成するに際しては、アルバム作成担当者等が建設現場において施工されるコンクリート工事や鉄筋工事、鉄骨工事または計測工事などの各種工事の着手前や工事途中または工事完成後などの工事箇所をディジタルカメラ５００により撮影する。この場合、図６（Ａ）に示すように、工事写真６０内の右下角部に位置して工事箇所の説明用黒板６００が写し込まれるように工事写真を撮影する（ステップＳ１）。
また、この時の説明用黒板６００は、図６（Ｂ）に示すように、四隅部に画面上でのドットマップ位置を示すマーク６０１が付された矩形状の枠体６０２に着脱可能に保持されている。
【００２６】
建設現場のアルバム作成に必要な枚数の工事写真がディジタルカメラ５００により撮影されたならば、このディジタルカメラ５００を建設現場に設置されている作業所端末２００に接続し（ステップＳ２）、作業所端末２００の表示部２０３に表示されているデータ取り込みアイコンをクリックするなどして、ディジタルカメラ５００のメモリ部に格納されている、説明用黒板画像データを含む工事写真データを工事写真データ取り込み手段２１１により作業所端末２００に取り込み、そのメインメモリ２０２に格納する（ステップＳ３）。
【００２７】
次に、作業所端末２００をダイヤルアップなどにより通信網１００に接続してセンターサーバ３００へアクセスする。このアクセスに際しては、作業所端末２００の入力部２０４からパスワードを入力するとともに、このパスワードとＩＤ番号をセンターサーバ３００に送信して、正当な作業所端末２００であるか否かを判定する。これにより、正当な作業所端末２００のみのアクセスを許可するようになる。そして、作業所端末２００の表示部２０３に表示されているデータ転送アイコンをクリックなどすることにより、作業所端末２００のメインメモリ２０２に格納されている工事写真データを工事写真データ伝送手段２１２によりセンターサーバ３００に伝送する（ステップＳ４）。
【００２８】
センターサーバ３００では、伝送されてきた工事写真データをメインメモリ３０２に取り込み、保存する（ステップＳ５）。次いで、センターサーバ３００の工事写真選択手段３１１では、メインメモリ３０２に取り込まれた工事写真データを撮影駒ごとに読み出して、表示部３０３に表示し、この表示された工事写真の中からアルバム作成に必要な工事写真を入力部３０４の操作で選択する（ステップＳ６）。そして、データ入力表示手段３１２では、工事写真選択手段３１１で選択され、かつ図６（Ａ）に示すように、表示部３０３に表示されている工事写真６０中の黒板６００の箇所を入力部３０４の操作でクリックすることにより黒板６００の画像を図６（Ｂ）に示すように、表示部３０３に拡大表示し、これと同時に、選択された工事写真６０の写真説明情報記入欄７０を図７（Ｂ）に示すように表示部３０３に表示する（ステップＳ７）。
【００２９】
次いで、センターサーバ３００のアルバム作成手段３１３では、表示部３０３に図６（Ｂ）に示すように拡大表示された黒板６００の画像を見ながら、この黒板６００に記載されている工事の種別、撮影場所、撮影年月日、写真タイトルなどの写真説明情報を入力部３０４の操作により、図７（Ｂ）に示すように写真説明情報記入欄７０に記入して、工事写真６０と写真説明情報記入欄７０とを対とするアルバム用工事写真データを作成する（ステップＳ８）。
【００３０】
また、センターサーバ３００のアルバム用工事写真データ保存手段３１４では、アルバム作成手段３１３で作成されたアルバム用工事写真データをセンターサーバ３００のメインメモリ３０２に保存させる（ステップＳ９）。そして、センターサーバ３００での工事写真の分類、整理及び写真説明情報の書き込みに伴うアルバム用工事写真の作成が終了したことを作業所端末２００へ通知する（ステップＳ１０）。
【００３１】
一方、アルバム用工事写真の作成終了通知を受けた作業所端末２００のアルバム用工事写真チェック／修正手段２１３では、作業所端末２００からセンターサーバ３００にアクセスして、センターサーバ３００のメインメモリ３０２に保存されているアルバム用工事写真データを作業所端末２００に取り込んでアルバム用工事写真の内容をチェックし（ステップＳ１１）、そのチェック結果をセンターサーバ３００に通知しもしくは取り込んだアルバム用工事写真データを適宜修正してセンターサーバ３００に転送し保存させる（ステップＳ１２）。
【００３２】
また、アルバム用工事写真チェック／修正手段２１３でのアルバム用工事写真データの修正を行わずに、センターサーバ３００でのアルバム用工事写真データの修正が任された場合は、センターサーバ３００の工事写真修正手段３１５において、アルバム用工事写真チェック／修正手段２１３からのチェック結果に基づいてアルバム用工事写真データの修正を行う場合は、その工事写真を要求に応じて修正または他の工事写真に入れ替える処理を入力部３０４との協働操作の基で行う（ステップＳ１３）。その後、アルバム用工事写真データの修正または工事写真の入れ替え結果を作業所端末２００へ通知する（ステップＳ１４）。
【００３３】
センターサーバ３００での写真説明情報の入力処理を行わずに、この処理を入力依頼端末４００に依頼する場合は、センターサーバ３００の発注手段３１６において、センターサーバ３００の入力部３０４を操作して、任意の入力依頼端末４００に対しアルバム用工事写真への写真説明情報の入力依頼を発注する（ステップＳ１５）。そして、センターサーバ３００からの入力依頼を受注した入力依頼端末４００では、その転送要求手段４１１において、入力依頼端末４００からセンターサーバ３００に対し作業所端末２００から取り込まれた工事写真データの転送を要求する（ステップＳ１６）。その後、センターサーバ３００のデータ伝送手段３１７では、入力依頼端末４００からのデータ転送要求に対して、センターサーバ３００から工事写真データを入力依頼端末４００に伝送する（ステップＳ１７）。
【００３４】
センターサーバ３００からの工事写真データを受信した入力依頼端末４００では、その工事写真データを入力依頼端末４００のメインメモリ４０２に保存する（ステップＳ１８）。次いで、入力依頼端末４００の工事写真選択手段４１２では、メインメモリ４０２に取り込まれた工事写真データを撮影駒ごとに読み出して、表示部４０３に表示し、この表示された工事写真の中からアルバム作成に必要な工事写真を入力部４０４の操作で選択する（ステップＳ１９）。そして、データ入力表示手段４１３では、工事写真選択手段４１２で選択され、例えば図６（Ａ）に示すように、表示部４０３に表示されている工事写真６０中の黒板６００の箇所を入力部３０４の操作でクリックすることにより黒板６００の画像を、例えば図６（Ｂ）に示すように、表示部４０３に拡大表示し、これと同時に、選択された工事写真６０の写真説明情報記入欄７０を、例えば図７（Ｂ）に示すように表示部４０３に表示する（ステップＳ２０）。
【００３５】
次いで、入力依頼端末４００のアルバム作成手段４１４では、表示部４０３に、例えば図６（Ｂ）に示すように拡大表示された黒板６００の画像を見ながら、この黒板６００に記載されている工事の種別、撮影場所、撮影年月日、写真タイトルなどの写真説明情報を入力部４０４の操作により、例えば図７（Ｂ）に示すように写真説明情報記入欄７０に記入して、工事写真６０と写真説明情報記入欄７０とを対とするアルバム用工事写真データを作成する（ステップＳ２１）。しかる後、入力依頼端末４００のデータ伝送手段４１５では、アルバム作成手段４１４で作成されたアルバム用工事写真データをセンターサーバ３００へ伝送し（ステップＳ２２）、ステップＳ９へ移行する。
【００３６】
また、作業所端末２００では、作成されたアルバム用工事写真データを施主または設計事務所等に対し通信網１００を介して公開する。この場合、施主または設計事務所が所有する端末からセンターサーバ３００へのアクセスが許可されている（ステップＳ２３）。
また、作業所端末２００では、作成されたアルバム用工事写真データをＣＤ等の記録媒体に記録し、もしくは印刷物に印刷して施主または設計事務所等に対し提供する（ステップＳ２３）。
【００３７】
このような本実施に形態に示す工事写真アルバム作成システムによれば、建設現場のアルバム作成担当者等はディジタルカメラ５００を用いて、建設現場で施工されるコンクリート工事や鉄筋工事、鉄骨工事または計測工事などの各種工事の着手前や工事途中または工事完成後などの工事箇所をその説明用黒板６００と共に写真撮影し、この撮影された説明用黒板６００を含む工事写真データを作業所端末２００から管理統括用センターのサーバ３００に伝送し、サーバ３００及びサーバ３００が依頼した入力依頼端末４００の両方で工事写真の分類整理及びこの工事写真に対する写真説明用情報の入力作業を、表示部に拡大表示された説明用黒板６００の記載内容を見ながら実行する構成にしたので、建設現場におけるアルバム作成担当者等のアルバム作成に関わる負担がなくなり、工事写真アルバムの作成に要する時間及びアルバムの作成コストを大幅に低減することができる。
【００３８】
なお、上記実施の形態では、センターサーバ３００及びサーバ３００が依頼した入力依頼端末４００の両方で工事写真の分類整理及びこの工事写真に対する写真説明用情報の入力作業を行う場合について説明したが、本発明はこれに限らず、センターサーバ３００及び入力依頼端末４００の何れか一方で行うようにしてもよい。
【００３９】
【発明の効果】
以上のように本発明にかかる工事写真アルバム作成方法及びシステム並びに工事写真アルバム作成用プログラムによれば、建設現場のアルバム作成担当者等はディジタルカメラを用いて工事の写真を撮影し、この撮影された工事写真データを作業所端末から管理統括用センターのサーバに伝送し、サーバ側及び／またはサーバが依頼した入力依頼端末で工事写真の分類整理及びこの工事写真に対する写真説明用の情報入力作業を、表示部に拡大表示された説明用黒板の記載内容を見ながら実行するようにしたので、建設現場におけるアルバム作成担当者等のアルバム作成に関わる負担がなくなり、工事写真アルバムの作成に要する時間及びアルバムの作成コストを大幅に低減することができる。
【図面の簡単な説明】
【図１】本発明の実施の形態における工事写真アルバム作成システムを構成する機能ブロック図である。
【図２】本発明にかかる工事写真アルバム作成システムの全体の構成を示すブロック図である。
【図３】本発明の工事写真アルバム作成システムの処理手順を示すフローチャートである。
【図４】本発明の工事写真アルバム作成システムの処理手順を示すフローチャートである。
【図５】本発明の工事写真アルバム作成システムの処理手順を示すフローチャートである。
【図６】本発明の工事写真アルバム作成システムに実施の形態における説明図である。
【図７】本発明の工事写真アルバム作成システムに実施の形態における説明図である。
【符号の説明】
１００　通信網
２００　作業所端末
３００　センターサーバ
４００　入力依頼端末
５００　ディジタルカメラ
２１１　工事写真データ取り込み手段
２１２　工事写真データ伝送手段
２１３　アルバム用工事写真チェック／修正手段
３１１　工事写真選択手段
３１２　データ入力表示手段
３１３　アルバム作成手段
３１４　アルバム用工事写真データ保存手段
３１５　工事写真修正手段
３１６　発注手段
３１７　データ伝送手段
４１１　転送要求手段
４１２　工事写真選択手段
４１３　データ入力表示手段
４１４　アルバム作成手段
４１５　データ伝送手段
【図１】
2004094605.tif 000003
【図２】
2004094605.tif 000004
【図３】
2004094605.tif 000005
【図４】
2004094605.tif 000006
【図５】
2004094605.tif 000007
【図６】
2004094605.tif 000008
【図７】
2004094605.tif 000009